(57)【要約】      （修正有）【課題】生体情報の測定をより省電力化して行うことができる測定制御技術を提供する。【解決手段】測定制御装置１は、センサ２が計測したユーザの生体情報を取得するセンサデータ取得部１０と、センサデータ取得部１０が取得した生体情報から周期性を有する特徴量を抽出する抽出部１１と、抽出された特徴量の周期を取得する間隔取得部１２と、取得された特徴量の周期に基づいて、設定された終了時刻までに特徴量が出現するか否かを判断する判断部１３と、判断部１３によって設定された終了時刻までに特徴量が出現しないと判断された場合に、センサデータ取得部１０の動作を終了させる終了処理部１４とを備える。【選択図】図２
2020141885.tif 000002
【特許請求の範囲】
【請求項１】
センサが計測したユーザの生体情報を取得するセンサデータ取得部と、
前記センサデータ取得部が取得した前記生体情報から周期性を有する特徴量を抽出する抽出部と、
抽出された前記特徴量の周期を取得する間隔取得部と、
取得された前記特徴量の前記周期に基づいて、設定された終了時刻までに前記特徴量が出現するか否かを判断する判断部と、
前記判断部によって前記設定された終了時刻までに前記特徴量が出現しないと判断された場合に、前記センサデータ取得部の動作を終了させる終了処理部と
を備える測定制御装置。
【請求項２】
請求項１に記載の測定制御装置において、
前記終了処理部は、前記センサデータ取得部による前記生体情報の取得を停止させることを特徴とする測定制御装置。
【請求項３】
請求項１または請求項２に記載の測定制御装置において、
前記終了処理部は、前記センサデータ取得部への電源供給を停止させることを特徴とする測定制御装置。
【請求項４】
請求項１から３のいずれか１項に記載の測定制御装置において、
前記センサデータ取得部は、前記生体情報を示すアナログ信号を増幅し、増幅された前記アナログ信号を予め設定されたサンプリング周期で離散化してデジタル信号に変換することを特徴とする測定制御装置。
【請求項５】
請求項１から４のいずれか１項に記載の測定制御装置において、
前記センサデータ取得部は、心電計を含む前記センサから前記ユーザの心電信号を取得することを特徴とする測定制御装置。
【請求項６】
請求項５に記載の測定制御装置において、
前記抽出部は、前記特徴量として前記心電信号に含まれるＲ波を抽出し、
前記間隔取得部は、前記周期として前記Ｒ波の間隔を示すＲ−Ｒ間隔を取得し、
前記判断部は、前記Ｒ−Ｒ間隔に基づいて、前記設定された終了時刻に前記Ｒ波が出現するか否かを判断する
ことを特徴とする測定制御装置。
【請求項７】
請求項６に記載の測定制御装置において、
前記判断部は、前記センサデータ取得部が前記心電信号を取得する任意の時刻と、前記間隔取得部が取得した最新の前記Ｒ−Ｒ間隔から算出される瞬時心拍数または平均心拍数に基づいて推定される次のＲ波が出現するまでの予測時間とに基づいて、前記設定された終了時刻との比較により前記Ｒ波が前記設定された終了時刻までに出現するか否かを判断することを特徴とする測定制御装置。
【請求項８】
センサが計測したユーザの生体情報を取得する第１ステップと、
前記第１ステップで取得された前記生体情報から周期性を有する特徴量を抽出する第２ステップと、
抽出された前記特徴量の周期を取得する第３ステップと、
取得された前記特徴量の前記周期に基づいて、設定された終了時刻までに前記特徴量が出現するか否かを判断する第４ステップと、
前記第４ステップで前記設定された終了時刻までに前記特徴量が出現しないと判断された場合に、前記第１ステップでの前記生体情報の取得を終了させる第５ステップと
を備える測定制御方法。
【発明の詳細な説明】
【技術分野】
【０００１】
本発明は、測定制御装置および測定制御方法に関し、特に生体情報の測定動作を制御する技術に関する。
【背景技術】
【０００２】
近年、ＩｏＴ時代における代表的な通信端末としてウェアラブルデバイスが注目されている。ウェアラブルデバイスの例としては、スマートウォッチや衣服に取り付けてユーザの歩数、活動量や心拍等の生体情報をモニタリングするヘルスケア端末といった消費者向けのデバイスが挙げられる。また、従業員の作業や環境をモニタリングするような業務用のウェアラブルデバイスも開発されており、すでに実用化されているものもある（非特許文献１参照）。
【０００３】
特に、ヘルスケア用途のウェアラブルデバイスに関しては、世界的な高齢化に伴う健康志向の高まりやポイントオブケアの需要も相まって注目されている。ヘルスケア用のウェアラブルデバイスは、日常生活での生体情報の計測やモニタリングを通じて、その情報を活用した生活習慣の見直しや改善、および生活習慣病等の疾病予防が可能となる。そのため、ヘルスケア用のウェアラブルデバイスにより人々の生活水準の維持および向上が期待されている。
【０００４】
その一例として、特許文献１には、センサ端末が取り付けられた衣服をユーザが着用することにより、ユーザの心電波形、心拍数、Ｒ波間隔から推定されるユーザのストレス状態等の生体状態を取得するアプリケーションが開示されている。
【０００５】
一般的に、このような従来のウェアラブルデバイスにおいて、バッテリーはデバイス全体の質量および体積に対して大きな割合を占めている。デバイスの軽量化および小型化のためには、バッテリー容量の削減が必要である。そのためには、デバイス全体の省電力化が必要となる。また、心拍計測のような、日常生活での長時間のモニタリングが想定されるデバイスの場合には、デバイス動作時の消費電力の低減は重要な技術課題といえる。
【０００６】
このような課題に対し、特許文献１に記載されている心拍計測装置においては、測定データを一時的に蓄積しながら、外部機器へのデータの送信を間欠的に実行することにより省電力化を図っている。しかし、心電信号の計測自体は常に実行しており、心拍計測自体の間欠動作等の低消費電力化の余地はまだあるといえる。
【先行技術文献】
【特許文献】
【０００７】
【特許文献１】ＷＯ２０１６／０２４４９５号明細書
【特許文献２】特開２０１８−０１１８１９号公報
【特許文献３】再表２０１７−１５０１５６号公報
【特許文献４】特開２０１５−１５６９３６号公報
【非特許文献】
【０００８】
【非特許文献１】「平成３０年度  情報通信白書」総務省：ｐｐ．１４−１５
【発明の概要】
【発明が解決しようとする課題】
【０００９】
本発明は、上述した課題を解決するためになされたものであり、生体情報の測定をより省電力化して行うことができる測定制御技術を提供することを目的とする。
【課題を解決するための手段】
【００１０】
上述した課題を解決するために、本発明に係る測定制御装置は、センサが計測したユーザの生体情報を取得するセンサデータ取得部と、前記センサデータ取得部が取得した前記生体情報から周期性を有する特徴量を抽出する抽出部と、抽出された前記特徴量の周期を取得する間隔取得部と、取得された前記特徴量の前記周期に基づいて、設定された終了時刻までに前記特徴量が出現するか否かを判断する判断部と、前記判断部によって前記設定された終了時刻までに前記特徴量が出現しないと判断された場合に、前記センサデータ取得部の動作を終了させる終了処理部とを備える。
【００１１】
また、本発明に係る測定制御装置において、前記終了処理部は、前記センサデータ取得部による前記生体情報の取得を停止させてもよい。
【００１２】
また、本発明に係る測定制御装置において、前記終了処理部は、前記センサデータ取得部への電源供給を停止させてもよい。
【００１３】
また、本発明に係る測定制御装置において、前記センサデータ取得部は、前記生体情報を示すアナログ信号を増幅し、増幅された前記アナログ信号を予め設定されたサンプリング周期で離散化してデジタル信号に変換してもよい。
【００１４】
また、本発明に係る測定制御装置において、前記センサデータ取得部は、心電計を含む前記センサから前記ユーザの心電信号を取得してもよい。
【００１５】
また、本発明に係る測定制御装置において、前記抽出部は、前記特徴量として前記心電信号に含まれるＲ波を抽出し、前記間隔取得部は、前記周期として前記Ｒ波の間隔を示すＲ−Ｒ間隔を取得し、前記判断部は、前記Ｒ−Ｒ間隔に基づいて、前記設定された終了時刻に前記Ｒ波が出現するか否かを判断してもよい。
【００１６】
また、本発明に係る測定制御装置において、前記判断部は、前記センサデータ取得部が前記心電信号を取得する任意の時刻と、前記間隔取得部が取得した最新の前記Ｒ−Ｒ間隔から算出される瞬時心拍数または平均心拍数に基づいて推定される次のＲ波が出現するまでの予測時間とに基づいて、前記設定された終了時刻との比較により前記Ｒ波が前記設定された終了時刻までに出現するか否かを判断してもよい。
【００１７】
また、上述した課題を解決するために、本発明に係る測定制御方法は、センサが計測したユーザの生体情報を取得する第１ステップと、前記第１ステップで取得された前記生体情報から周期性を有する特徴量を抽出する第２ステップと、抽出された前記特徴量の周期を取得する第３ステップと、取得された前記特徴量の前記周期に基づいて、設定された終了時刻までに前記特徴量が出現するか否かを判断する第４ステップと、前記第４ステップで前記設定された終了時刻までに前記特徴量が出現しないと判断された場合に、前記第１ステップでの前記生体情報の取得を終了させる第５ステップとを備える。
【発明の効果】
【００１８】
本発明によれば、取得されたユーザの生体情報の特徴量の周期に基づいて、設定された終了時間までに特徴量が出現するか否かを判断して、出現しない場合には生体情報の取得を終了させるので、生体情報の測定をより省電力化して行うことができる。
【図面の簡単な説明】
【００１９】
【図１】図１は、本発明の実施の形態に係る測定制御装置の概要を説明するための図である。
【図２】図２は、本発明の実施の形態に係る測定制御装置の機能構成を示すブロック図である。
【図３】図３は、本発明の実施の形態に係る測定制御装置のハードウェア構成を示すブロック図である。
【図４】図４は、本発明の実施の形態に係る測定制御装置の動作を説明するフローチャートである。
【図５】図５は、本発明の実施の形態に係る測定制御装置の効果を説明するための図である。
【発明を実施するための形態】
【００２０】
以下、本発明の好適な実施の形態について、図１から図５を参照して詳細に説明する。また、本実施の形態では、測定制御装置１が測定する生体情報として、ユーザの心電信号を用い、心電信号の特徴量としてＲ波を抽出し、心電波形のＲ波の１分あたりの個数に基づいてユーザの心拍数を測定する例を挙げて説明する。
【００２１】
本実施の形態に係る測定制御装置１は、予め設定された期間で通常動作とスタンバイ動作とを繰り返してユーザの心拍数を測定する間欠動作の制御を行う。通常動作時においては、ユーザの心拍数が測定され、スタンバイ動作時には、ユーザの心拍数は測定されない。センサ２は、例えば、心電計などを含み、ユーザに装着されてユーザの心電信号を計測する。
【００２２】
［測定制御装置の概要］
図１は、ユーザの心電波形から抽出されたＲ波の時系列データおよび測定時間の制御の一例を示す図である。図１の（ａ）は、従来例に係る測定制御装置による、Ｒ波の検出制御を示している。従来例に係る測定制御装置は、予め規定されている心電波形を取得および心拍を検出する時間（通常動作：ＯＮ）とスタンバイ状態になる時間（スタンバイ動作：ＯＦＦ）とに基づいて、間欠的にユーザの心拍数を測定する。このように、従来例に係る測定制御装置では、設定された通常動作の終了時刻までは、測定が継続される。
【００２３】
一方、本実施の形態に係る測定制御装置１は、間欠動作に加えて、図１の（ｂ）に示すように、Ｒ波が検出されたタイミングで、Ｒ−Ｒ間隔を取得し、取得したＲ−Ｒ間隔に基づいて、設定された終了時刻までにＲ波が出現するか否かを判断する。測定制御装置１は、設定された終了時刻までにＲ波が出現すると判断した場合には、測定を継続するが、Ｒ波が設定された終了時刻までに出現しないと判断した場合には、最後に出現するＲ波を測定した時点で心拍数の測定を行う通常動作を途中終了する。図１の（ｂ）に示すように、測定制御装置１が終了時刻が到来する前に測定を終了した場合には、Ｒ波が検出されない期間の無駄な動作時間を削減することができ、測定系を省電力化することができる。なお、心拍数はＲ−Ｒ間隔を用いて算出される。
【００２４】
［測定制御装置の機能ブロック］
次に、本実施の形態に係る測定制御装置１の機能構成について図２を参照して説明する。図２に示すように、測定制御装置１は、センサデータ取得部１０、抽出部１１、間隔取得部１２、判断部１３、終了処理部１４、記憶部１５、および送受信部１６を備える。
【００２５】
センサデータ取得部１０は、センサ２からユーザの生体情報を取得する。より詳細には、センサデータ取得部１０は、例えば、心電計で構成されるセンサ２から、予め設定された通常動作の開始時刻から終了時刻までの期間にわたってユーザの心電信号を取得する。センサデータ取得部１０は、センサ２から取得したユーザの心電信号を増幅し、増幅されたアナログ信号の心電信号を所定のサンプリング周波数でデジタル信号に変換する。また、センサデータ取得部１０は取得した心電波形から必要に応じてノイズを除去する。センサデータ取得部１０によって取得されたユーザの心電波形は記憶部１５に記憶される。
【００２６】
抽出部１１は、センサデータ取得部１０によって取得されたユーザの生体情報の時系列データから、周期性を有する特徴量を抽出する。具体的には、抽出部１１は、センサデータ取得部１０が取得した心電波形から、その主要成分の１つであるＲ波を抽出する。
【００２７】
間隔取得部１２は、抽出部１１が抽出した生体情報の特徴量の周期を取得する。具体的には、間隔取得部１２は、抽出部１１が心電波形から抽出したＲ波の周期であるＲ−Ｒ間隔を取得する。間隔取得部１２は、Ｒ−Ｒ間隔を取得する際に、最新の瞬時心拍数や、平均心拍数（特許文献２参照）を用いて算出してもよい。取得されたＲ−Ｒ間隔は、記憶部１５に記憶される。本実施の形態では、間隔取得部１２が取得したＲ−Ｒ間隔はユーザの心拍数として用いられる。
【００２８】
判断部１３は、間隔取得部１２によって取得された特徴量の周期に基づいて、設定された通常動作の終了時刻までに特徴量が出現するか否かを判断する。判断部１３は、設定された終了時刻までに生体情報の特徴量が出現しないと判断した場合には、通常動作の終了時刻より前に通常動作を終了することを示す途中終了信号を出力する。具体的には、判断部１３は、Ｒ−Ｒ間隔に基づいて、設定された終了時刻までに、Ｒ波の時系列データにおいて、Ｒ波が出現するか否かを判断し、出現しない場合には、途中終了信号を出力する。
【００２９】
終了処理部１４は、判断部１３によって設定された終了時刻までに特徴量が出現しないと判断された場合に、センサデータ取得部１０の動作を終了させる。より詳細には、終了処理部１４は、判断部１３からの途中終了信号の入力があると、センサデータ取得部１０による生体情報の取得を停止させる。より具体的には、終了処理部１４は、センサデータ取得部１０への後述の電源装置１１０からの電源供給を停止させることができる。
【００３０】
終了処理部１４によってセンサデータ取得部１０による生体情報の取得を停止されることにより、ユーザの心拍数の測定を行う通常動作からスタンバイ動作あるいはスリープ動作へ移行する。終了処理部１４は、測定制御装置１のハードウェア構成や要求される電力消費などに応じて、メモリに電力が供給されるスタンバイ状態や、メモリ内容やコンピュータの状態をハードディスクに退避して電源を完全にオフ状態とする休止状態などの終了処理を行うことができる。
【００３１】
記憶部１５は、センサデータ取得部１０によって取得されたユーザの生体情報の時系列データを記憶する。また、記憶部１５は、抽出部１１によって抽出されたＲ波を記憶する。また、記憶部１５は、間隔取得部１２によって取得されたＲ−Ｒ間隔を記憶する。また、記憶部１５は、予め設定された通常動作の終了時刻を記憶する。
【００３２】
送受信部１６は、間隔取得部１２によって取得されたＲ−Ｒ間隔に基づいて算出されたユーザの心拍数を外部のサーバや端末装置などに送信する。送受信部１６は、例えば、瞬時心拍数や平均心拍数を外部に送信することができる。また、送受信部１６を介してセンサ２からセンサデータを取得することができる。
【００３３】
［測定制御装置のハードウェア構成］
次に、上述した機能構成を有する測定制御装置１のハードウェア構成について図３のブロック図を参照して説明する。
【００３４】
図３に示すように、測定制御装置１は、例えば、バス１０１を介して接続されるＭｉｃｒｏ  Ｃｏｎｔｒｏｌ  Ｕｎｉｔ（ＭＣＵ）１０２、主記憶装置１０３、通信インターフェース１０４、Ａｎａｌｏｇ  Ｆｒｏｎｔ  Ｅｎｄ（ＡＦＥ）１０５、Ａｎａｌｏｇ  ｔｏ  Ｄｉｇｉｔａｌ  Ｃｏｎｖｅｒｔｅｒ（ＡＤＣ）１０６、補助記憶装置１０７、入出力装置１０８、時計１０９、電源装置１１０を備えるコンピュータと、これらのハードウェア資源を制御するプログラムによって実現することができる。測定制御装置１において、外部に設けられたセンサ２と、測定制御装置１内部に設けられた表示装置１１１とがそれぞれバス１０１を介して接続されている。
【００３５】
主記憶装置１０３には、ＭＣＵ１０２が各種制御や演算を行うためのプログラムが予め格納されている。ＭＣＵ１０２と主記憶装置１０３とによって、図２に示した抽出部１１、間隔取得部１２、判断部１３、終了処理部１４を含む測定制御装置１の各機能が実現される。
【００３６】
通信インターフェース１０４は、通信ネットワークＮＷを介して各種外部電子機器との通信を行うためのインターフェース回路である。
【００３７】
通信インターフェース１０４としては、例えば、ＬＴＥ、３Ｇ、無線ＬＡＮ、Ｂｌｕｅｔｏｏｔｈ（登録商標）  Ｌｏｗ  Ｅｎｅｒｇｙ（ＢＬＥ）などの無線データ通信規格に対応した演算インターフェースおよびアンテナを用いることができる。また、通信インターフェース１０４は、イーサネット（登録商標）などの有線による通信規格に対応した通信インターフェース回路によって実現することができる。通信インターフェース１０４によって、図２で説明した送受信部１６が実現される。
【００３８】
ＡＦＥ１０５は、センサ２から取得されたユーザの微弱な心電信号を増幅して出力する増幅回路を含む。
ＡＤＣ１０６は、ＡＦＥ１０５によって増幅されたアナログ信号を所定のサンプリング周波数でデジタル信号に変換するアナログ−デジタル変換回路を備える。ＡＤＣ１０６はデジタル信号に変換した心電信号の時系列データを出力する。
ＡＦＥ１０５およびＡＤＣ１０６によって図２で説明したセンサデータ取得部１０が実現される。
【００３９】
補助記憶装置１０７は、読み書き可能な記憶媒体と、その記憶媒体に対してプログラムやデータなどの各種情報を読み書きするための駆動装置とで構成されている。補助記憶装置１０７には、記憶媒体としてフラッシュメモリなどの不揮発性メモリを使用することができる。補助記憶装置１０７は、例えば、ＤＲＡＭなどの揮発性メモリで実現されていてもよい。
【００４０】
補助記憶装置１０７は、センサ２により計測された生体情報を記憶する記憶領域や、測定制御装置１が生体情報の測定の制御を行うためのプログラムを格納するプログラム格納領域を有する。補助記憶装置１０７によって、図２で説明した記憶部１５が実現される。さらには、例えば、上述したデータやプログラムやなどをバックアップするためのバックアップ領域などを有していてもよい。
【００４１】
入出力装置１０８は、センサ２や表示装置１１１など外部機器からの信号を入力したり、外部機器へ信号を出力したりするＩ／Ｏ端子により構成される。
【００４２】
時計１０９は、コンピュータに内蔵されている内蔵時計などで構成され、時刻を計時する。時計１０９によって得られた時刻情報は、センサデータのサンプリングや、ＭＣＵ１０２（抽出部１１、間隔取得部１２、判断部１３、終了処理部１４）が時刻情報を用いる際に参照される。
【００４３】
電源装置１１０は、ＭＣＵ１０２、主記憶装置１０３、通信インターフェース１０４、ＡＦＥ１０５、ＡＤＣ１０６、補助記憶装置１０７、入出力装置１０８、時計１０９を含む測定制御装置１全体へ電源を供給する電源回路によって実現される。
【００４４】
［測定制御装置の動作］
次に、上述した構成を有する測定制御装置１の動作について図４のフローチャートを参照して説明する。予めユーザにセンサ２が装着されてユーザの心電信号が計測され、以下の処理が実行される。例えば、センサ２は心電計で構成される。また、記憶部１５には、間欠動作によって心拍数の測定を実行する通常動作の期間、すなわち、設定された通常動作の終了時刻が事前に記憶されている。また、記憶部１５には、設定されているスタンバイ動作が実行される時間情報が記憶されている。
【００４５】
まず、ＭＣＵ１０２を起動（ＯＮ）させる（ステップＳ１）。次に、ＡＦＥ１０５を起動（ＯＮ）させる（ステップＳ２）。その後、ＡＦＥ１０５にて取得されるアナログ信号が安定した後に、ＡＤＣ１０６に電源を供給して起動（ＯＮ）させる（ステップＳ３）。その後、センサデータ取得部１０は、センサ２からユーザの心電信号を取得する（ステップＳ４）。次に、センサデータ取得部１０は、取得したユーザの心電信号を増幅する（ステップＳ５）。具体的には、ＡＦＥ１０５が信号を増幅して出力する。
【００４６】
次に、センサデータ取得部１０は、増幅されたアナログの心電信号を設定されたサンプリング周波数でデジタル信号に変換する（ステップＳ６）。具体的には、ＡＤＣ１０６がアナログ信号の心電信号をデジタル信号に変換して出力する。その後、出力されたユーザの心電位の時系列データは記憶部１５に記憶される（ステップＳ７）。
【００４７】
次に、抽出部１１は、記憶部１５に記憶されたユーザの心電位の時系列データからＲ波を抽出する（ステップＳ８）。抽出部１１は、ステップＳ８において心電位の時系列データに含まれる一定間隔で出現するＲ波を抽出して、記憶部１５に記憶する。より具体的には、抽出部１１は、心電位の時間差分値からＲ波由来のピーク前後のクリアランスを考慮した値をＲ波抽出のための指標値として用いることができる（特許文献３参照）。抽出部１１は、この指標値の時系列データに対して、Ｒ波の振幅に応じてしきい値を設定し、データ値がこのしきい値を上回ったことをもってＲ波を検出することができる（特許文献４参照）。
【００４８】
その後、間隔取得部１２は、ステップＳ８で抽出されたユーザの心電波形に含まれる複数のＲ波から、Ｒ波が出現する周期を示すＲ−Ｒ間隔を取得する（ステップＳ９：ＹＥＳ）。具体的には、間隔取得部１２は、ステップＳ８で少なくとも２つのＲ波が抽出されると、これらの互いに隣接した時間間隔で出現するＲ波の周期から瞬時心拍数を算出することができる（特許文献４参照）。
【００４９】
平均心拍数の算出に関しては、通常動作時に測定された心拍数の中央値、相加平均、あるいは移動平均を用いることができる。または、特許文献２に記載されているような、ｉ番目のＲ−Ｒ間隔のデータから求まる瞬時心拍数ＨＲ（ｉ）、（ｉ−１）番目までの瞬時心拍数から平均化した値ＨＲave（ｉ−１）、所定の平均化係数ｒ（例えば、ｒ＝０，１）を用いて次式（１）により平均値ＨＲave（ｉ）を算出してもよい。
【００５０】
ＨＲave（ｉ）＝ｒ×ＨＲ（ｉ）＋（１−ｒ）×ＨＲave（ｉ−１）  ・・・（１）
【００５１】
次に、判断部１３は、ステップＳ９で取得されたＲ−Ｒ間隔に基づいて、設定された終了時刻までにＲ波が出現するか否かを判断し、出現しない場合には（ステップＳ１０：ＹＥＳ）、測定を途中終了することを示す信号を出力し、処理はステップＳ１２に移行する。
【００５２】
より詳細には、判断部１３は、測定を途中終了するか否かの判断において、次式（２）を用いる。
【００５３】
【数１】
2020141885.tif 000003
【００５４】
上式（２）において、ｔは通常動作時における測定時刻、Ｘは最新のＲ−Ｒ間隔から算出される瞬時心拍数あるいは平均心拍数を示している。また、６０／Ｙ（Ｘ）はＸより推定される次にＲ波が出現するまでの予測時間［ｓｅｃ］を示している。
【００５５】
判断部１３は、上式（２）の左辺が設定された終了時刻ｔmeasureを上回る場合には、本間欠動作の通常動作中においてこれ以上Ｒ波は出現しないため、途中終了信号を出力する。
【００５６】
判断部１３は、上式（２）に含まれるＹ（Ｘ）については、以下の式（３）から式（８）のいずれかを用いて求めることができる。
【００５７】
例えば、Ｒ波の振幅が小さいことなどが原因で、Ｒ波を複数個取りこぼして、Ｘが実際の値よりも小さい値をとってしまう場合を考慮する。例えば、Ｒ波のｍ個（ｍは０以上の整数）の取りこぼしを考慮し、Ｙ（Ｘ）は次式（３）により算出される。
【００５８】
Ｙ（Ｘ）＝（ｍ＋１）Ｘ      ・・・（３）
【００５９】
上式（３）で考慮したことに加えて、心拍数が逐次変動することを考慮する。この場合、例えば、心拍変動量ΔＸを加味して次式（４）によりＹ（Ｘ）を算出することができる。なお、心拍変動量ΔＸは、予め実験的に求めて記憶部１５に記憶されている。
【００６０】
Ｙ（Ｘ）＝（ｍ＋１）（Ｘ＋ΔＸ）      ・・・（４）
【００６１】
あるいは、上式（３）の例においてｍ＝０のとき、つまり、Ｒ波の取りこぼしを考慮しない場合には、さらに生じ得る心拍数の上限Ｘmaxを考慮して、式（５）によりＹ（Ｘ）を算出することができる。
【００６２】
【数２】
2020141885.tif 000004
【００６３】
また、別の例として、心拍変動量ΔＸを考慮した上式（４）において、ｍ＝０のとき、つまり、Ｒ波の取りこぼしを考慮しない場合には、さらに生じ得る心拍数の上限Ｘmaxを考慮して、次式（６）によりＹ（Ｘ）を算出することができる。
【００６４】
【数３】
2020141885.tif 000005
【００６５】
あるいは、判断部１３は、ｎ個以上（ｎは自然数）のＲ波の取りこぼしを考慮する場合において、上式（３）を用いた例において、生じ得る心拍数の上限Ｘmaxをさらに考慮して式（７）によりＹ（Ｘ）を算出することができる。なお、ｒは０≦ｒ＜１をとる定数である。
【００６６】
【数４】
2020141885.tif 000006
【００６７】
あるいは、判断部１３は、上式（７）の例に、式（４）で用いた心拍変動量ΔＸを考慮して、次式（８）によりＹ（Ｘ）を算出することができる。
【００６８】
【数５】
2020141885.tif 000007
【００６９】
図４に戻り、終了処理部１４は、ステップＳ９で間隔取得部１２がＲ−Ｒ間隔を取得していない場合（ステップＳ９：ＮＯ）、設定された終了時刻に到達している場合には（ステップＳ１１：ＹＥＳ）、測定を終了させる処理に移行する（ステップＳ１２）。
【００７０】
終了処理部１４は、途中終了信号が出力された場合（ステップＳ１０：ＹＥＳ）、または、設定された終了時刻に到達した場合には（ステップＳ１１：ＹＥＳ）、ＡＤＣ１０６への電源装置１１０からの電源供給を停止させる（ステップＳ１２）。その後、終了処理部１４は、ＡＦＥ１０５への電源装置１１０からの電源供給を停止させる（ステップＳ１３）。
【００７１】
その後、ＭＣＵ１０２は、記憶部１５に記憶されているユーザの心拍数を読み出してパケットを生成し、送受信部１６から通信ネットワークＮＷを介して外部端末にデータを送信する（ステップＳ１４）。その後、終了処理部１４は、ＭＣＵ１０２を待機状態（ＯＦＦ）にする（ステップＳ１５）。以上の処理により測定制御装置１が間欠動作を行ってユーザの心拍数を測定する場合の通常動作が終了し、スタンバイ動作へ移る。測定制御装置１は、設定されたスタンバイ期間を経て再びステップＳ１からステップＳ１５を繰り返すことで再び通常動作を実行させることができる。
【００７２】
次に、本実施の形態に係る測定制御装置１が間欠動作を行い、ユーザの心電波形の測定の途中終了の判断を行った場合のＯＮ／ＯＦＦ動作タイミングについて、図５を参照して説明する。図５において、横軸は時間［時：分：秒］を示し、縦軸は心電位［μＶ］を示している。また、図５において、心電波形と重ねて、測定制御装置１の動作タイミング（ＯＮ／ＯＦＦ）を示している。
【００７３】
また、図５においては、判断部１３が途中終了を判断する際に上式（２）を用いた。また、式（２）に含まれるＹ（Ｘ）の算出には、上式（３）を、ｍ＝０として用いた。また、式（３）においてｒ＝１／３、ΔＸ＝１５［ｂｐｍ］、ｔmeasure＝５［ｓｅｃ］とした。さらにＸは、通常動作中の瞬時心拍数の中央値とした。判断部１３が心拍数測定における途中終了の判断をしない場合には、設定された終了時刻ａにおいて、Ｒ波が出現しないにもかかわらず測定を継続していることがわかる（図５の破線）。
【００７４】
しかし、本実施の形態において、判断部１３によって途中終了信号が出力され、測定が途中で終了した場合には、設定されている終了時刻ａよりも前の時刻ａ’において、測定が終了している。そのため、Ｒ波が検出されない無駄な測定時間を省くことができている。具体的には、判断部１３によって途中終了が判断される場合には、従来例（図５の破線）と比較して約２６％の動作時間が節約されており、省電力化を図ることが可能となる。
【００７５】
以上説明したように、本実施の形態によれば、判断部１３がユーザのＲ波のＲ−Ｒ間隔に基づいて、設定された終了時刻までにＲ波が出現するか否かを判断するので、ユーザの心拍数などの生体情報の測定をより省電力化して行うことができる。
【００７６】
なお、説明した実施の形態では、心電計を有するセンサ２によってユーザの心電波形を取得して、心電波形からＲ−Ｒ間隔を取得して心拍数の測定および途中終了の判断を行う場合について説明した。しかし、センサ２は例えば脈拍計によって脈拍などユーザの拍動数を測定する場合など、周期性を有する生体情報の特徴量に基づいて測定されるユーザの状態などを示す情報であれば説明した具体例に限られない。
【００７７】
また、測定制御装置１が制御を行う測定対象は、心電波形のＲ−Ｒ間隔および心拍数の測定に限られず、心電波形に含まれる別の特徴量を抽出してもよい。例えば、Ｐ波、Ｑ波、Ｓ波、Ｔ波などを観測してユーザの生体情報を測定してもよい。
【００７８】
以上、本発明の測定制御装置および測定制御方法における実施の形態について説明したが、本発明は説明した実施の形態に限定されるものではなく、請求項に記載した発明の範囲において当業者が想定し得る各種の変形を行うことが可能である。
【符号の説明】
【００７９】
１…測定制御装置、２…センサ、１０…センサデータ取得部、１１…抽出部、１２…間隔取得部、１４…終了処理部、１５…記憶部、１６…送受信部、１０１…バス、１０２…ＭＣＵ、１０３…主記憶装置、１０４…通信インターフェース、１０５…ＡＦＥ、１０６…ＡＤＣ、１０７…補助記憶装置、１０８…入出力装置、１０９…時計、１１０…電源装置、１１１…表示装置。
【図１】
2020141885.tif 000008
【図２】
2020141885.tif 000009
【図３】
2020141885.tif 000010
【図４】
2020141885.tif 000011
【図５】
2020141885.tif 000012